(57)【要約】【課題】運転盤からの安全な保守操作を可能にするとともに正運転盤が故障中であっても、保守用端末無しで乗りかご内保守運転可能なエレベータ制御システムを提供する。【解決手段】号機制御装置と、乗りかご内のかご端末と複数の運転盤とスイッチボックスと表示器とを伝送系で接続したエレベータ制御システムであって、  号機制御装置と複数の運転盤との間の伝送を一定周期で実施し、スイッチボックス内の保守運転スイッチにより保守運転モードを確認し、一定周期での伝送通信が成功している第１の運転盤による保守運転操作であることを号機制御装置と表示器に通知し、第２の運転盤による保守運転操作を阻止するとともに、  保守運転モード時に号機制御装置と第１の運転盤とによる伝送が不調であることを確認し、一定周期での伝送通信が成功している第２の運転盤による保守運転操作であることを号機制御装置と表示器に通知し、第１の運転盤による保守運転操作を阻止する。【選択図】図１
2015054742.tif 000002
【特許請求の範囲】
【請求項１】
乗りかごの外部に設置され乗りかごを制御する号機制御装置と、乗りかご内に設置され前記号機制御装置と伝送により接続されたかご端末と、乗りかご内に設置され前記かご端末と伝送により接続され行き先階ボタンや開閉ボタンを備えた複数の運転盤と、乗りかご内に設置され前記号機制御装置と伝送により接続され保守運転スイッチや停止スイッチなどを備えたスイッチボックスと、乗りかご内に設置され前記かご端末と接続される表示器により構成されるエレベータ制御システムであって、
前記号機制御装置と前記乗りかご内の複数の運転盤との間の伝送を一定周期で実施し、前記スイッチボックス内の保守運転スイッチが操作されたことにより保守運転モードを確認し、前記一定周期での伝送通信が正常に成功している第１の運転盤による保守運転操作であることを前記号機制御装置と前記表示器に通知し、第１の運転盤以外の第２の運転盤による保守運転操作を阻止するとともに、
保守運転モード時に前記号機制御装置と前記第１の運転盤とによる伝送が不調であることを確認し、前記一定周期での伝送通信が正常に成功している第２の運転盤による保守運転操作であることを前記号機制御装置と前記表示器に通知し、第１の運転盤による保守運転操作を阻止することを特徴とするエレベータ制御システム。
【請求項２】
請求項１記載のエレベータ制御システムであって、
保守運転モード時に前記号機制御装置と前記第１の運転盤および第２の運転盤による伝送が不調であることを確認し、前記第１の運転盤および第２の運転盤による保守運転操作が実行不可能であることを前記号機制御装置と前記表示器に通知することを特徴とするエレベータ制御システム。
【発明の詳細な説明】
【技術分野】
【０００１】
本発明は、エレベータの保守運転操作性を向上させたエレベータ制御システムに関する。
【背景技術】
【０００２】
エレベータでは適宜、保守員によるエレベータの保守運転操作を実施している。このうち乗りかご内で実施する保守運転操作には、保守員が携帯する保守用端末（モバイル等）を乗りかご内のスイッチＢＯＸ内のインターフェイスに接続して行う方法と、乗りかご内の運転盤から行う方法とがある。
【０００３】
通常は保守用端末（モバイル等）による保守運転操作を行っているが、保守用端末を忘れた、あるいは保守用端末がバッテリ切れした場合も考慮して、乗りかご内の運転盤によっても保守運転操作を可能としている。
【０００４】
保守員によるエレベータの保守運転操作手法について、特許文献１などが知られている。
【先行技術文献】
【特許文献】
【０００５】
【特許文献１】特開２０１２−２１８８８６号公報
【発明の概要】
【発明が解決しようとする課題】
【０００６】
本発明では、乗りかご内の運転盤から保守運転操作を行うことを前提としているがこの場合には、安全に留意する必要がある。エレベータの乗りかご内には、運転盤が複数設置されている場合が多い。また保守運転操作は複数の保守員により行われることが多い。かかる状態で、保守員が正運転盤により保守運転操作中に、エレベータの乗りかごに同乗している他の保守員が不用意に他の運転盤による操作などを行ってしまうと、乗りかご上部に別の保守員がいる場合など別の保守員に危険がおよぶ事態を生じかねない。
【０００７】
これを防止するためには、副運転盤での保守運転操作をできないようにする（正運転盤でのみ保守運転操作を許可する）ことが考えられるが、正運転盤が故障し、かつ保守用端末を持っていない場合には、保守運転操作自体ができないことが問題となる。
【０００８】
また顧客の要求仕様によっては、正運転盤が設置されず、副運転盤や車椅子運転盤しか設置されないこともあり、そういう場合には号機制御盤内の号機制御ＭＰＵの記憶装置にある保守運転プログラムを変更する必要があった。
【０００９】
このような事情により、乗りかご内に運転盤を設置し、保守員が保守モードとしたうえで運転盤のボタンを操作すれば保守運転を可能とする方法をとっていたが、保守運転の安全性確保のために、メインの運転盤でしか保守運転操作を行えないように構成していた。このため保守運転の可能な運転盤が故障などした場合には、他に副運転盤があったとしても保守運転が行えない問題点があった。
【００１０】
以上のことから本発明においては、運転盤からの安全な保守操作を可能にするとともに正運転盤が故障中であっても、保守用端末無しで乗りかご内保守運転可能なエレベータ制御システムを提供することを目的とする。
【課題を解決するための手段】
【００１１】
以上のことから本発明においては、乗りかごの外部に設置され乗りかごを制御する号機制御装置と、乗りかご内に設置され前記号機制御装置と伝送により接続されたかご端末と、乗りかご内に設置され前記かご端末と伝送により接続され行き先階ボタンや開閉ボタンを備えた複数の運転盤と、乗りかご内に設置され前記号機制御装置と伝送により接続され保守運転スイッチや停止スイッチなどを備えたスイッチボックスと、乗りかご内に設置されかご端末と接続される表示器により構成されるエレベータ制御システムであって、
号機制御装置と乗りかご内の複数の運転盤との間の伝送を一定周期で実施し、スイッチボックス内の保守運転スイッチが操作されたことにより保守運転モードを確認し、一定周期での伝送通信が正常に成功している第１の運転盤による保守運転操作であることを号機制御装置と表示器に通知し、第１の運転盤以外の第２の運転盤による保守運転操作を阻止するとともに、
保守運転モード時に号機制御装置と第１の運転盤とによる伝送が不調であることを確認し、一定周期での伝送通信が正常に成功している第２の運転盤による保守運転操作であることを号機制御装置と表示器に通知し、第１の運転盤による保守運転操作を阻止することを特徴とする。
【発明の効果】
【００１２】
運転盤からの安全な保守操作を可能にするとともに正運転盤が故障中であっても、保守用端末無しで乗りかご内保守運転可能となる。
【図面の簡単な説明】
【００１３】
【図１】本発明におけるエレベータ制御システムの系統構成を示す図。
【図２】号機制御マイコン、かご端末、入出力部の間のデータ伝送を示した図。
【図３】乗りかご内の運転盤の構成を示した図。
【図４】かご端末における処理フローを示した図。
【発明を実施するための形態】
【００１４】
以下図面を用いて本発明の実施例を説明する。
【実施例】
【００１５】
図１は本発明によるエレベータ制御システムの構成例を示している。この図で、Ｃ１は上下動する乗りかごであり、ＣＰ１は乗りかごＣ１の外部に設けられた号機制御装置である。乗りかごＣ１内部には、かご端末ＣＴ１が設置され、号機制御装置ＣＰ１内部には、号機制御マイコンＣＭＰＵ１を設置しており、かご端末ＣＴ１と号機制御マイコンＣＭＰＵ１の間がかご多重伝送路ＣＬ１により接続されている。かかる構成により、号機制御装置マイコンＣＭＰＵ１はかご多重伝送路ＣＬ１介して乗りかごＣ１に設置されるかご端末ＣＴ１を制御する。
【００１６】
乗りかごＣ１内のかご端末ＣＴ１には、入出力部として各種の入力部や出力（表示）部が多重伝送路ＣＴＬにより接続されている。具体的な入出力部は、行き先階釦を設置する正運転盤端末ＣＤ１、行き先階釦を設置する副運転盤端末ＣＤ２、乗りかご内表示器端末ＤＩＳＰ１、乗りかご内スイッチ端末ＣＳＷ１などである。かご端末ＣＴ１と、上記の各入出力部端末（ＣＤ１、ＣＤ２、ＤＩＳＰ１、ＣＳＷ１）との間の多重伝送路ＣＴＬは、図１に示したＣＴＬ１〜ＣＴＬ４である。
【００１７】
これらの入出力部を用いた通常のエレベータ運転は、乗りかご内スイッチ端末ＣＳＷ１を除く他の端末ＣＤ１、ＣＤ２、ＤＩＳＰ１を用いて行われるが、本発明は保守運転操作に特徴があるので、通常のエレベータ運転における他の端末ＣＤ１、ＣＤ２、ＤＩＳＰ１の操作状態について説明を省略する。
【００１８】
本発明における保守運転では、スイッチ端末ＣＳＷ１で保守運転許可スイッチをＯＮした状態で、正運転盤端末ＣＤ１の行き先階予備釦を選択操作して実施する。正運転盤端末ＣＤ１の行き先階予備釦のうち最上階の釦を押せば保守低速上昇運転を行い、最下階の釦を押せば保守低速下降運転となる。また正運転盤端末ＣＤ１とかご端末ＣＴ１の通信が正常に確立されているときには、副運転盤端末ＣＤ２での保守運転操作は無効となるが、正運転盤端末ＣＤ１とかご端末ＣＴ１の間の通信が異常になると、副運転盤端末ＣＤ２での保守運転操作を許可する。
【００１９】
図２は、号機制御装置ＣＰ１内部の号機制御マイコンＣＭＰＵ１と、かご端末ＣＴ１内のかご端末ＣＴ１と、かご端末ＣＴ１内の入出力部との間のデータ伝送の状態を示した図である。ここでは本発明のデータの流れを、かご端末ＣＴ１を中心に表している。また各端末などの間でやりとりされるデータを中心に説明するために、各端末が備えるデータテーブルを主体に表記して説明する。
【００２０】
まず図２左側には、号機制御装置ＣＰ１に内蔵される号機制御用ＭＰＵ（ＣＭＰＵ１）が記述されており、ここにはかご端末ＣＴ１と送受信するための各種データを保持するかご端末送受信テーブルＴＲＸＴＢＬを備えている。号機制御用ＭＰＵ（ＣＭＰＵ１）は、かご端末送受信テーブルＴＲＸＴＢＬに定期的にリード・ライトアクセスし、かご端末ＣＴ１を介して、運転盤端末ＣＤ１、ＣＤ２や表示器端末ＤＩＳＰ１、スイッチＣＳＷ１端末とのデータの授受を行う。
【００２１】
図２中央には、かご端末ＣＴ１が備えるテーブルＴＢ１を記述している。かご端末ＣＴ１内のテーブルＴＢ１は、上位の号機制御用ＭＰＵ（ＣＭＰＵ１）からのデータを下位の入出力部に渡す機能を果たすものを受信テーブルＴＢ１Ｒと定義し、逆に下位の入出力部からのデータを上位の号機制御用ＭＰＵ（ＣＭＰＵ１）に渡す機能を果たすものを送信テーブルＴＢ１Ｓと定義している。但し、かご端末ＣＴ１内に受信後（したがって受信テーブルを備える）、他のデータを付与して下位に送信する場合には送信テーブルとして表記する。またこれらのかご端末ＣＴ１が備えるテーブルＴＢ１については、伝送相手となる入出力部を区別する意味で入出力部端末ＣＤ１が伝送相手であれば１を、ＣＤ２が伝送相手であれば２を、ＤＩＳＰ１が伝送相手であれば３を、ＣＳＷ１が伝送相手であれば４を、記号ＴＢ１（ＴＢ１ＲとＴＢ１Ｓを含む）の末尾に付与して表示している。
【００２２】
この表記事例によれば、かご端末ＣＴ１が備えるテーブルＴＢ１は入出力部端末として正運転盤ＣＤ１を伝送相手とする送受信のために、正運転盤受信テーブルＴＢ１Ｒ１、正運転盤送信テーブルＴＢ１Ｓ１、正運転盤の通常釦データ送信テーブルＴＢ１Ｓ１Ａを備える。
【００２３】
かご端末ＣＴ１が備えるテーブルＴＢ１は入出力部端末として副運転盤ＣＤ２を伝送相手とする送受信のために、副運転盤受信テーブルＴＢ１Ｒ２、副運転盤送信テーブルＴＢ１Ｓ２、副運転盤の通常釦データ送信テーブルＴＢ１Ｓ２Ａ、保守運転操作データ送信テーブルＴＢ１Ｓ２Ｂを備える。
【００２４】
かご端末ＣＴ１が備えるテーブルＴＢ１は入出力部端末として表示部ＤＩＳＰ１を伝送相手とする送受信のために、表示部受信テーブルＴＢ１Ｒ３、表示部送信テーブルＴＢ１Ｓ３を備える。但しＤＢは、かご端末ＣＴ１内に受信後、下位に送信するときに付加される他のデータであり、例えば「保守操作許可の情報」を保持しており、運転盤の表示データに追加して表示部送信テーブルＴＢ１Ｓ３から送信させる。
【００２５】
かご端末ＣＴ１が備えるテーブルＴＢ１は入出力部端末としてスイッチ端末ＣＳＷ１を伝送相手とする送受信のために、ＳＷＢＯＸ受信テーブルＴＢ１Ｒ４を備える。
【００２６】
下位の入出力部である正運転盤ＣＤ１と副運転盤ＣＤ２が備えるテーブルＴＢ２には、受信テーブルＴＢ２Ｒ（ＴＢ２Ｒ１とＴＢ２Ｒ２）と送信テーブルＴＢ２Ｓ（ＴＢ２Ｓ１とＴＢ２Ｓ２）が対にされて設置されている。なお受信したデータはＬＥＤなどの表示器ＤＰ１、ＤＰ２に出力され、押釦ＰＢ１、ＰＢ２などの状態を示すデータが送信テーブルＴＢ２Ｓに与えられて上位系に伝送される。
【００２７】
下位の入出力部である表示部ＤＩＳＰ１が備えるテーブルＴＢ２は受信テーブルＴＢ２Ｒ３のみであり、受信したデータは表示ディスプレイＤＰ３に出力、表示される。
【００２８】
下位の入出力部であるスイッチ端末ＣＳＷ１が備えるテーブルＴＢ２は送信テーブルＴＢ２Ｓ４のみであり、ＳＷＢＯＸ内のスイッチＳＷの状態を示すデータが送信テーブルＴＢ２Ｓ４に与えられて上位系に伝送される。
【００２９】
図３は、乗りかごＣＴ１内の運転盤の構成を示した図であり、一例として正副運転盤に関連して設置された各種の表示器ＤＰや押しボタンなどの配置例を示している。この例では運転盤上部には表示器ＤＩＳＰ１により表示を行う表示ディスプレイＤＰ３が配置されて、現在階や、その他の必要な情報（例えば保守運転中など）の表示を行っている。運転盤中段には行先階の押釦ＰＢ１が配置されており、これらは指定された階についての表示を行う表示器ＤＰ１を兼用したものとされている。運転盤下段には、キーにより蓋が解放されて内部のスイッチＳＷを操作可能とする。
【００３０】
図２のテーブル主体に構成したシステムにおける通信の手順について以下説明する。ここでは、号機制御盤内の号機制御ＭＰＵであるＣＭＰＵ１が定期的に、かご端末との送受信テーブルＴＲＸＴＢＬにアクセスし、多重伝送を介してかご端末とのデータのやり取りを行う。
【００３１】
具体的に述べると、号機制御盤内の号機制御ＭＰＵであるＣＭＰＵ１が定期的に送受信テーブルＴＲＸＴＢＬにアクセスし、最初にかご端末ＣＴ１のデータを取り出し、多重伝送を介してかご端末ＣＴ１の正運転盤受信テーブルＴＢ１Ｒ１にデータを伝送する。
【００３２】
かご端末ＣＴ１では、号機制御ＭＰＵより受信した正運転盤ＣＤ１へのデータ（応答灯やチャイム、音声など）を、正運転盤端末ＣＤ１の受信テーブルＴＢ２Ｒ１へ送信し、ここで表示器ＤＰ１の表示制御を行う。またこの正運転盤端末ＣＤ１からの返信として、押釦ＰＢ１等の入力Ｉ／Ｏが送信テーブルＴＢ２Ｓ１に準備されて、かご端末ＣＴ１の正運転盤送信テーブルＴＢ１Ｓ１に受信され、正運転盤の通常釦データ送信テーブルＴＢ１Ｓ１Ａを介して、これを号機制御ＭＰＵに送信（かご端末ＣＴ１から見て返信）する。
【００３３】
同じように副運転盤ＣＤ２との伝送を行う。この時には号機制御盤内の号機制御ＭＰＵであるＣＭＰＵ１が定期的に送受信テーブルＴＲＸＴＢＬにアクセスし、かご端末ＣＴ１のデータを取り出し、多重伝送を介してかご端末ＣＴ１の副運転盤受信テーブルＴＢ１Ｒ２にデータを伝送する。
【００３４】
かご端末ＣＴ１では、号機制御ＭＰＵより受信した副運転盤ＣＤ２へのデータ（応答灯やチャイム、音声など）を、副運転盤端末ＣＤ２の受信テーブルＴＢ２Ｒ２へ送信し、ここで表示器ＤＰ２の表示制御を行う。またこの副運転盤端末ＣＤ２からの返信として、押釦ＰＢ２の入力Ｉ／Ｏが送信テーブルＴＢ２Ｓ２に準備されて、かご端末ＣＴ１の副運転盤送信テーブルＴＢ１Ｓ２に受信され、副運転盤の通常釦データ送信テーブルＴＢ１Ｓ２Ａを介して、これを号機制御ＭＰＵに送信（かご端末ＣＴ１から見て返信）する。
【００３５】
以上の運転盤による一連操作により、乗りかご内における目的階の指定が押し釦ＰＢ１の釦操作により行われて、これが号機制御盤内の号機制御ＭＰＵであるＣＭＰＵ１に伝達されて電動機制御を行い乗りかごの上昇下降動作を開始する。また、目的階の情報が乗りかごに送られて表示器ＤＰ１兼用の押釦ＰＢ１を点灯させる。目的階に到着したら消灯させる信号を送っている。
【００３６】
これら一連の送信および受信動作は、一定周期のポーリング動作により継続実施されている。号機制御ＭＰＵから一定周期で処理のトリガをかけ、その都度運転盤端末ＣＤが返信する。このポーリングの周期は例えば１０ｍｓであり、この周期内で号機制御ＭＰＵと度運転盤端末ＣＤとの間の全ての送受信を完了する。例えば正運転盤ＣＤ１との送受信完了後に副運転盤ＣＤ２との送受信を完了し、さらに表示器ＤＩＳＰ１、スイッチボックスＣＳＷ１との間の送受信を実行する。なお各機器における周期はいずれも１０ｍｓである。
【００３７】
保守運転操作データ送信テーブルＴＢ１Ｓ２Ｂでは、上記のポーリングが正常に実施されていることを監視報告している。号機制御ＭＰＵと正運転盤端末ＣＤ１の間のデータ伝送が１０ｍｓで正しく行われていること、号機制御ＭＰＵと副運転盤端末ＣＤ２の間のデータ伝送が１０ｍｓで正しく行われていることを確認し、これが正しく行われていない時に当該の正運転盤端末ＣＤが異常であると判断する。
【００３８】
この判断の結果として保守運転操作データ送信テーブルＴＢ１Ｓ２Ｂでは、保守運転に関するデータのみ保守操作を許可した正運転盤端末ＣＤ１か、副運転盤端末ＣＤ２、いずれかで受信したデータのみをかご端末ＣＴ１内で選択して、号機制御ＭＰＵに送信する。これはかご端末からの一定周期での各運転盤との多重伝送による通信状況を確認した結果、正運転盤端末ＣＤ１との通信異常時には副運転盤端末ＣＤ２での通信状態を確認し、副運転盤端末ＣＤ２との通信が正常であれば、保守操作許可運転盤を副運転盤端末ＣＤ２と決定するための処理である。
【００３９】
また、かご端末ＣＴ１は号機制御ＭＰＵから受信した表示器ＤＩＳＰ１での表示データ受信テーブルＴＢ２Ｒ３を、号機制御ＭＰＵから受信した運転モード状態が保守運転モードである場合にのみ、保守操作許可した運転盤の表示を追加処理（例えば「副運転盤で保守操作可能です。」などと表示）して、かご端末ＣＴ１から表示器端末ＤＩＳＰ１への送信を行う。「副運転盤で保守操作可能です。」との情報は、データベースＤＢに保持されているものを使用する。表示器端末ＤＩＳＰ１は受信テーブルに受信した表示データをもとに接続された表示器（ディスプレィ等）に表示を行う。
【００４０】
また、かご端末ＣＴ１は号機制御ＭＰＵに対して、かご内のスイッチ類の入力データを多重伝送にて伝送する。スイッチ端末ＣＳＷ１は乗りかご内に設置されるスイッチＢＯＸ内にある各種スイッチ（停止スイッチ、保守スイッチ、換気扇スイッチ、照明スイッチ、専用運転スイッチ、サービス階切り離しスイッチ、セキュリティ運転スイッチ等）の入力データをかご端末ＣＴ１に送信し、これを受信したかご端末ＣＴ１は号機制御ＭＰＵであるＣＭＰＵ１に送信し、これを基に号機制御ＭＰＵは各種運転モードを決定する。
【００４１】
本発明のかご端末における処理フローを図４に示している。図４により本発明の概略動作を説明する。
【００４２】
乗りかごに設置されるかご端末ＣＴ１は、号機制御装置内に設置される号機制御ＭＰＵ側から多重伝送を介して、現状の運転モードを受信する。ここでの運転モードは乗りかご内に設置されるスイッチＢＯＸ内にある保守スイッチにより保守運転モードが指定されるものである。
【００４３】
ご端末ＣＴ１の処理では最初にステップＳ１０において、運転モードの確認を行う。保守運転モードであれば、ステップＳ２０で正運転盤ＣＤ１との通信状態を確認する。なお本実施例では運転盤が正運転盤と副運転盤の２個で説明しているが、この他に車いす利用者用運転盤などが設置される場合もある。ここでは車いす利用者用運転盤は、副運転盤として取り扱っている。
【００４４】
なお、複数の運転盤端末にはそれぞれ固有のＩＤＮｏが指定されており、例えばＩＤＮｏ＝０１はスイッチ端末ＣＳＷ１、０２は表示器端末ＤＩＳＰ１、０３は正運転盤端末ＣＤ１、０４は副運転盤端末ＣＤ２としている。これらのＩＤＮｏに対して、ポーリングを定期的に例えば１０ｍｓ周期で実施する。その結果、連続で数回の通信が失敗するなどした場合には、一過性のノイズによる通信エラーではなく、致命的な断線などの故障が発生したと看做す。
【００４５】
このようにして、正運転盤ＣＤ１との通信状態を確認した結果が正常であればステップＳ４０に移行する。ステップＳ４０では表示器端末ＤＩＳＰ１への送信テーブルＴＢ１Ｓ３に正運転盤ＣＤ１で保守操作を可能である旨を表示するデータをセットし、これを定期的に表示器端末ＤＩＳＰ１に送信処理する。
【００４６】
次にステップＳ８０に移行し、保守運転操作データの送信テーブルＴＢ１Ｓ２Ｂに正運転盤ＣＤ１での保守操作データをセットし、これを定期的に号機制御ＭＰＵに送信する。これにより、号機制御ＭＰＵは副運転盤ＣＤ２での保守操作データを受け付けたとしても、これを無効としてクリヤするので、正運転盤ＣＤ１での保守操作時に副運転盤ＣＤ２での保守操作が行われたとしてもこれには応答しないことになる。
【００４７】
ステップＳ２０での判定結果が、かご端末ＣＴ１と正運転盤端末ＣＤ１の間の通信異常であった場合には、ステップＳ３０において副運転盤ＣＤ２との通信状態を確認する。副運転盤ＣＤ２との通信状態が正常であればステップＳ５０に移る。ステップＳ５０では、表示器端末ＤＩＳＰ１への送信テーブルＴＢ１Ｓ３に副運転盤ＣＤ２で保守操作を可能である旨を表示するデータをセットし、これを定期的に表示器端末ＤＩＳＰ１に送信処理する。
【００４８】
次にステップＳ９０に移行し、保守運転操作データの送信テーブルＴＢ１Ｓ２Ｂに副運転盤ＣＤ２での保守操作データをセットし、これを定期的に号機制御ＭＰＵに送信する。これにより、号機制御ＭＰＵは正運転盤ＣＤ１での保守操作データを受け付けたとしても、これを無効としてクリヤするので、副運転盤ＣＤ２での保守操作時に正運転盤ＣＤ１での保守操作が行われたとしてもこれには応答しないことになる。
【００４９】
ステップＳ３０で副運転盤ＣＤ２との通信状態が異常であると判定された場合では、号機制御ＭＰＵと、正運転盤ＣＤ１および副運転盤ＣＤ２の間の通信はいずれも途絶している。この状態での保守運転は不可能である。このためこの条件では、ステップＳ６０で表示器端末ＤＩＳＰ１への送信テーブルＴＢ１Ｓ３に正副運転盤ＣＤ１、ＣＤ２での保守操作が不可能である旨を表示するデータをセットし、これを定期的に表示器端末ＤＩＳＰ１送信処理する。
【００５０】
また次にステップＳ１００に移行し、保守運転操作データの送信テーブルＴＢ１Ｓ２Ｂに保守操作トラブルデータをセットし、これを定期的に号機制御ＭＰＵに送信する。
【００５１】
なおステップＳ１０で保守運転モードでないと判定されれば、ステップＳ７０で表示器端末ＤＩＳＰ１への送信テーブルＴＢ１Ｓ３に通常運転あるいは管制運転での表示するデータをセットし、これを定期的に表示器端末ＤＩＳＰ１に送信処理する。以上の処理をＯＳにより一定周期で実行する。
【符号の説明】
【００５２】
ＣＰ１：号機制御装置
ＣＭＰＵ１：号機制御マイコン
ＣＴ１：かご端末
ＣＤ１：正運転盤
ＣＤ２：副運転盤
ＣＬ１：かご端末用多重伝送路
ＣＳＷ１：スイッチ端末
ＤＩＳＰ１：乗りかご内表示器
ＣＴ１〜ＣＴ４：かご端末から各種端末への多重伝送線
【図１】
2015054742.tif 000003
【図２】
2015054742.tif 000004
【図３】
2015054742.tif 000005
【図４】
2015054742.tif 000006